Podtech/llm-jp-corpus-v4-ja_patent huggingface dataset:
(57)【要約】      （修正有）【課題】夏季就寝時に腹部だけを暖めること。寒季、「椅子に腰掛け」た個人の足許を重点的に暖めること。必要に応じ、在来の「掛敷」毛布としても使えること。【解決手段】（１）電気毛布を２等分し、発熱用電線の配列間隔が「小より大」である発熱用電線Ａと、その逆の「大より小」配線のＢを展開し、配線の疎密で加熱の重点を形成し、目的によりＡ，Ｂを使い分ける。（２）ファスナーＣ＋Ｆ，Ｄ＋Ｅを同時または別個に使用して、毛布を腹巻き、エプロン、あし袋、掛／敷スタイルで使用する。【選択図】図１
0003128495.tif 000002
【実用新案登録請求の範囲】
【請求項１】
毛布面積を２分し、展開されている電線が「密から粗へ」と「粗から密へ」と電線間隔を変えて配線されている発熱用電線Ａ，Ｂに同時叉は個別に電力を供給する。
【請求項２】
毛布の縁端に、ＣとＦ、ＤとＥを組み合わせた２組のファスナーを取り付ける。両者を個別叉は同時に使用して、腹巻き、エプロン、あし袋、掛／敷のスタイルを形成する。
【請求項３】
発熱用電線ＡとＢに対する電源のＯＮ，ＯＦＦ切り替えと加熱温度調整用として発熱用電線と外部電源の間にコントローラーを接続する。
毛布の位置固定と熱気流出防止の為、吊り環を４箇所に取り付ける。
使用上の便宜のため、足許方向を示すマークを毛布表に表示する。
【考案の詳細な説明】
【技術分野】
【０００１】  本考案は保健用電気毛布の性能向上に関する
【背景技術】
【０００２】  在来の電気掛敷毛布は、主として寒季の就寝時に布団と併用して使用され、毛布を平面的に展開して均等加熱する方式だった。
【考案の開示】
【考案が解決しようとする課題】
【０００３】  在来型の使用上の不便は次の通り。
１  夏季就寝時に腹部を重点に加熱する事が出来ない。
２  寒季において、就寝時を含め，「椅子に腰掛けている」状態で作業や執務する場合、個人用暖房器具として、足許暖房を重視する方策に欠ける。
【課題を解決するための手段】
【０００４】    本考案では、重点加熱方式を具体化するする為、以下の手段を実施。
１  毛布の「２つ折り」方式を採用する。則ち毛布を２等分し、その左半分の発熱用電線Ａには、配線間隔が「密から粗」になっており、右半分の発熱用電線Ｂでは逆に「粗から密」になるよう配線する。
２  毛布に縫い付け状態の発熱用電線Ａ，Ｂの端末はコネクターを経てコントローラーＸに接続され、Ａ，Ｂの同時叉は個別使用に切り替える作業と温度調節を行う。
３  毛布の「２つ折り」に関連し、ファスナーＣ，Ｄ，Ｅ，Ｆを取り付ける。Ｃ＋Ｆ，Ｄ＋Ｅで各ワンペアを形成する。両ペアが共に「クローズ」状態では毛布は上部を開口した「あし袋」状となり、Ｃ＋Ｆは「クローズ」Ｄ＋Ｅが「オープン」では筒状「腹巻きスタイル」になる。
４  夏季と寒季、スタイル、重点加熱部、毛布の使用状態、ファスナーの使用、発熱用電線の使用等の組み合わせ形態は図面の図２による。
５  吊り環Ｇ、Ｈ、Ｉ、Ｊを「２つ折り」状態の４隅に取り付け、紐を使用して要加熱重点部位と発熱用電線の重点を一致させる。
６  均等加熱を行うには、電線はＡ，Ｂ同時に使用する。
７  毛布表の右下部分に矢印で足許方向を示す矢印を表示する。
【考案の効果】
【０００５】  夏季の電気毛布は、寝相が悪い者、たびたび寝返る者には、在来方式は不向きだが、本考案ではエプロン方式の前吊りか、腹巻きスタイルで重点的に腹部を暖め、手足などは加熱せず寝冷えの心配は無い。
寒季特に部屋煖房、こたつ煖房によらず、腰掛け状態で勉強、執務やＴＶ観覧等の場合、最も「冷え」を感ずるのは足許からであるが、本考案では足許重点加熱を行い、且つファスナーによる密閉の為空気の散逸、熱気の漏えいを防止している。
本案毛布は、軽量可搬で移動持ち運びが容易である。
【考案を実施するための最良の形態】
【０００６】  本考案では寒季の使用時、加熱した空気の散逸防止には、吊り環ＧとＨを紐でつなぎ、『きんちゃく』状を完成し『人魚姫のきんちゃくこたつ』ともよばれる。
別の方法として毛布上縁部の左右に小さいファスナーを取り付ける。この方式は空気密閉の点で優れた１案と考えられる。
【図面の簡単な説明】
【０００７】
【図１】  本考案に係わる発熱用電線、ファスナー、吊り環の配置と、別に付属するコントローラーを示す平面図
【図２】  本考案の使用時期に対応する諸機能の関連状態を示す形態図。
【図１】
0003128495.tif 000003
【図２】
0003128495.tif 000004
【手続補正書】
【提出日】平成18年10月18日(2006.10.18)
【手続補正１】
【補正対象書類名】実用新案登録請求の範囲
【補正対象項目名】全文
【補正方法】変更
【補正の内容】
【実用新案登録請求の範囲】
【請求項１】
電気毛布の発熱と保温に関する構造について
１  電気毛布に展開する発熱用電線の配線間隔を、在来型は全面等間隔であるが、本案では毛布面積を２等分し、発熱用電線も配線間隔
0003128495.tif 000005
て配置する
２  加熱効果の大小と配線間隔は逆比例するので、足許を大きく加熱したい場合には配線間隔の「小」部分が毛布の下部位置にある加熱用電線に通電し、腹部を大きく加熱するには毛布上部位置にある加熱用電線に通電し、下半身全部の均等加熱には２つの加熱用電線に通電し、その切り替えと全体の温度調節のため、電源と加熱用電線の間にコントローラーを設置する
３  毛布の２つ折り使用と保温効果向上のため、毛布の縦、横の縁端にオープンファスナーを縫い付け、毛布の首掛、身体への密着のため毛布コーナーに吊り環と紐を取り付ける
以上を特徴とする電気毛布。
(57)【要約】【課題】本考案は、家族などが食卓テーブルを囲んで食事をする際、よくティッシュペーパーが必要になることがある。そのときティッシュペーパーボックスは通常、該テーブルから離れた場所に置いてあるか、該テーブルの上に置いてあるのが一般的であるため、離れた場所に置いてある場合は、いちいち立ち上がって取りにいかなければならない。また、該テーブルの上に置くと該ボックスが邪魔であったり、座る場所によっては、立ち上がって手を伸ばさないと該ペーパーを取ることが出来ないという不便さがある。このため、これらの課題を解決するティッシュボックス収納棚を提供する。【解決手段】食卓テーブルの天板６の下面に２、３、および４の枠と底板５からなる枠体を、粘着テープ１によって該天板に取り付け、ティッシュボックスを収納する。【選択図】図１
0003128493.tif 000002
【実用新案登録請求の範囲】
【請求項１】
食卓テーブルの天板の下面に、ティッシュペーパーボックスを収納設置するため、縁付きの底板と該底板を吊り下げる枠、天板下面に固定する枠、さらに、底板と前記枠によって構成された枠体を該テーブル下面に接着固定するための粘着剤、あるいはネジからなる、ティッシュペーパーボックス収納棚。
【考案の詳細な説明】
【技術分野】
【０００１】本考案は，家族などが食卓テーブルを囲んで食事をする際、ティッシュペーパーが必要になることがある。テーブルに座った各人が手を伸ばしただけで、該ペーパーを使用することを可能にしたティッシュボックス収納棚。
【背景技術】
【０００２】食卓テーブルの裏面の空間を利用した従来の技術としては、例えば、実用新案登録第３０１１６４３号、実用新案登録第３０２４３１６号、実用新案登録第３０３８８８６号、および実用新案登録第３０４０７５５号などがあるが、これらは、いずれもティッシュボックスがズリ落ちやすかったり、ティッシュペーパーを取り出すとき、いちいち回転させたりしなければならないという難点がある。さらに、実用新案登録第３０８０８５９号の技術があるが、該技術はテーブル天板の端部に取り付けて、該ボックスをスライドして取り出して使用しなければならないことと、端部に取り付けるため必要な箇所に複数取り付けなければならないという難点がある。
【考案の開示】
【考案が解決しようとする課題】
【０００３】本考案は，前記の難点を解決し、食卓テーブルの椅子に座った各人がいずれの場所からでも、手を伸ばしただけで容易にティッシュペーパーを使用することを可能とするものである。
【課題を解決するための手段】
【０００４】このため、請求項１にあるように、ティッシュボックスを置くことのできる大きさの縁枠付きの底板と枠体からなる収納棚とし、該棚を接着剤付きテープあるいは、ネジなどで食卓テーブルの天板の下面に吊り下げるように取り付け、食事中にティッシュペーパーを容易に使用することのできるティシュボックス収納棚を提供する。
【考案の効果】
【０００５】本考案のティッシュボックス収納棚は、食卓テーブルを囲んで食事をする際、ティッシュペーパーを必要とした食事中の各人が、該テーブルの椅子に座ったままの姿勢で、各人が手を伸ばしたたけで、該ペーパーを使用できるという便利性がある。また、ティッシュボックスの交換も容易である。
【考案を実施するための最良の形態】
【０００６】以下，本考案を実施するための最良の形態を，図面を参照しながら，具体的に説明する。図１は、枠体の正面図である。
ティッシュボックスを載せる底板５と該ボックスがズリ落ちないように該底板の周囲にズリ落ち止めの縁枠４を取り付け、それらに吊り下げようの枠３を取り付ける。
本実施例では枠３は板状であるが、本実施例に限定するものではない。その他の方法としては、ヒモなどで吊り下げてもよい。枠３には食卓テーブルの天板６の下面に該枠体を取り付けるための、枠２を取り付ける。これらによって構成された枠体を該天板の下面に取り付けるため、粘着剤付きのテープ１を枠２に貼り付ける。
本実施例では該テープを粘着剤付きのものを使用しているが、本実施例に限定するものではない。その他の方法としては粘着剤付きのマジックテープやネジなどで留める方法がある。【０００７】図２は、枠体の側面図である。天板６の下面に取り付けるための枠２は、本実施例では分離しているが、本実施例に限定するものではない。その他の方法としては、連続した１枚の板を用いる方法などがある。枠２、枠３、縁枠４、底板５は一体となって、収納棚を構成している。
【図面の簡単な説明】
【０００８】
【図１】本考案の実施例を示す、枠体の正面図である。
【図２】本考案の実施例を示す、枠体の側面図である。
【図３】本考案の実施例を示す、枠体の平面図である。
【図４】本考案の実施例を示す、枠体の底面図である。
【図５】本考案の実施例を示す、下方から見た斜視図である。
【図６】本考案の実施例を示す、正面から見た使用状況図である。
【図７】本考案の実施例を示す、側面から見た使用状況図である。
【符号の説明】
【０００９】１  粘着テープ
２  上部枠
３  吊り下げ用枠
４  ズリ止め用縁枠
５  底板
６  テーブル天板
７  ティシュボックス
【図１】
0003128493.tif 000003
【図２】
0003128493.tif 000004
【図３】
0003128493.tif 000005
【図４】
0003128493.tif 000006
【図５】
0003128493.tif 000007
【図６】
0003128493.tif 000008
【図７】
0003128493.tif 000009
【手続補正書】
【提出日】平成18年10月5日(2006.10.5)
【手続補正１】
【補正対象書類名】明細書
【補正対象項目名】０００６
【補正方法】追加
【補正の内容】
【０００６】以下，本考案を実施するための最良の形態を，図面を参照しながら，具体的に説明する。図１は、枠体の正面図である。
ティッシュボックスを載せる底板５と該ボックスがズリ落ちないように該底板の周囲にズリ落ち止めの縁枠４を取り付け、それらに吊り下げようの枠３を取り付ける。
本実施例では枠３は板状であるが、本実施例に限定するものではない。その他の方法としては、ヒモなどで吊り下げてもよい。枠３には食卓テーブルの天板６の下面に該枠体を取り付けるための、枠２を取り付ける。これらによって構成された枠体を該天板の下面に取り付けるため、粘着剤付きのテープ１を枠２に貼り付ける。
本実施例では該テープを粘着剤付きのものを使用しているが、本実施例に限定するものではない。その他の方法としては粘着剤付きのマジックテープ（登録商標）やネジなどで留める方法がある。
(57)【要約】【課題】歩行器を使用する人が荷物を携行するとき、手に持ちながら操作するのは安全上好ましくない。移動する時荷物を手に持たずに携行し、両手で安全に歩行器を操作するための手段の開発。【解決手段】歩行器前部中段に荷物を置く補助棚を設置する。補助棚の支持具により歩行器本体に固定する。折りたたみタイプの歩行器は本体中段に設置し、取り外し可能とする。【選択図】図１
0003128496.tif 000002
【実用新案登録請求の範囲】
【請求項１】
歩行器の本体中段に棚を取り付けて移動時に安全に物を運ぶための補助棚。
【考案の詳細な説明】
【技術分野】
【０００１】本考案は、歩行器に取り付ける補助棚に関する。
【技術背景】
【０００２】歩行器を使用する時、荷物は手に持ちながら歩行器を操作しなければならず、障害者には安全上好ましくはない。
【考案の開示】
【考案が解決しようとする課題】
【０００３】歩行器を使用する人が荷物を携行する場合が多い。
手に持たずに安全に移動できる必要がある。
【課題を解決するための手段】
【０００４】歩行器の前部中段に棚を設け、安易に荷物を置くスペースを確保する補助棚を考案した。
【考案の効果】
【０００５】前部にあるので荷物が常に視覚に入り確認できる。
本、資料、ハンドバッグなど色々な物を乗せることが出来る。
重い物でも歩行機を操作するだけで、安全に運搬できる。
移動する時、両手で歩行器を操作できるので安心感がある。
【考案を実施するための最良の形態】
【０００６】歩行器操作に支障のない大きさの補助棚とする。
折りたたみ歩行器の場合は、補助棚は容易に取り外す事が出来る機構とする。
【図面の簡単な説明】
【０００７】
【図１】本考案に係る折りたたみ歩行器の補助棚の設置断面図。
【図２】本考案に係る折りたたみ歩行器の補助棚の設置平面図。
【図３】本考案に係る通常歩行器の補助棚の設置断面図。
【符号の説明】
【０００８】１      折りたたみ歩行器の本体
２      補助棚
３      通常歩行器の補助棚の支持具
【図１】
0003128496.tif 000003
【図２】
0003128496.tif 000004
【図３】
0003128496.tif 000005
【手続補正書】
【提出日】平成18年10月10日(2006.10.10)
【手続補正１】
【補正対象書類名】実用新案登録請求の範囲
【補正対象項目名】全文
【補正方法】変更
【補正の内容】
【実用新案登録請求の範囲】
【請求項１】
歩行器本体前部中段に、歩行器と同じ幅で、周囲に立ち上がりのある形状の棚板を、板の下面の両端に取り付ける挟み金具で、歩行器のパイプに取り付ける構造を有する補助棚。
(57)【要約】【課題】  ポスターやメモなどを壁面や間仕切りに掲示する場合に、全体として意匠的な美感を呈する掲示板を提供すること。【解決手段】  所要板厚、所要表面積の基板１と、該基板１の表面に止着される掲示物である掲示紙葉２と、該掲示紙葉２の全周縁を密に止着する多数の鋲３と、前記基板１の裏面に配設されて壁面又は掲示面に接合される接合手段とから成り、また、鋲３は各色に着色されて止着されることがある。【選択図】  図１
0003128415.tif 000002
【実用新案登録請求の範囲】
【請求項１】
所要板厚、所要表面積の基板と、該基板の表面に止着される掲示紙葉と、該掲示紙葉の全周縁を止着する多数の鋲とから成る掲示板。
【請求項２】
前記鋲が各色に着色されて成る請求項１記載の掲示板。
【考案の詳細な説明】
【技術分野】
【０００１】
本考案は、ポスターやメモなどの掲示物を止着する掲示板に関する。
【背景技術】
【０００２】
ポスターやメモなどの掲示物を掲示するために従来から鋲やセロハンテープなどが使われている。
その鋲に代わる貼り付け具として特開2004−133359号公報（特許文献１）が提案されている。特許文献１に開示された技術は、柔軟性のある材料からなるベースの裏面に極微小な吸盤を多数設けた貼り付け具である。しかし、鋲などで掲示物を止着しても掲示物の表面の周縁に額縁のような意匠的な美感をもたらすものでなかった。
【特許文献１】特開２００４−１３３３５９号公報
【考案の開示】
【考案が解決しようとする課題】
【０００３】
本考案は上記実情に鑑みて、ポスターやメモなどを壁面や間仕切りなどに掲示する場合に、鋲を使用して掲示物を掲示板に止着すると共に掲示物の周縁に額縁のような美感を与えようとするものである。
【課題を解決するための手段】
【０００４】
本考案の請求項１に記載した掲示板は、所要板厚、所要表面積の基板と、該基板の表面に止着される掲示物である掲示紙葉と、該掲示紙葉の全周縁を密に止着する多数の鋲とから成り、掲示紙葉に額縁感を与えたものである。
請求項２に記載した掲示板は、請求項１に記載した掲示板において、鋲が各色に着色されて成る。
【考案の効果】
【０００５】
本考案によれば、掲示紙葉が鋲で縁取りされた額縁に収められたような美感を呈して視認され装飾効果がある。
【考案を実施するための最良の形態】
【０００６】
基板に掲示紙葉を止着する鋲は、その頭部直径が各サイズ別に選択されたり大小各様のサイズを取り混ぜて使用されることがあり、間隔をさまざまに選択するほか、彩色の種類や色配列も各様に選択される。
【実施例】
【０００７】
本考案の掲示板Ａを実施例により説明すると、図１に示すように、木質材又は軟質合成樹脂材等の材質による所要板厚で所要表面積の基板１と、基板１の表面に止着される掲示物たるポスターやお品書きなどの掲示紙葉２と、基板１に対して掲示紙葉２の全周縁を密に止着する多数の鋲３とから成る。基板１は、図１に示す掲示紙葉２のような長大でない一枚のものでこれを壁板に止着する場合（前者）と、基板１が上記壁板である場合（後者）とがある。
前者の場合には図１に示すように、壁面に止着手段として裏面に雄面状ファスナー４を配設し、壁板に配設した雌面状ファスナーと着脱自在に接合させる。後者の場合には図２に示すように、壁板に相当する間仕切り５に掲示紙葉２を鋲３により直接止着する。これにより多数の額縁模様のついた掲示紙葉２を掲示することができる。
【０００８】
このようにして成る掲示板Ａは、鋲３が装飾的な額縁のように視認され、鋲３の頭部に着色を施して掲示紙葉２の全周縁を止着すれば、より装飾的な額縁として視認される。
【産業上の利用可能性】
【０００９】
本考案は、広告、宣伝を必要とする業界全てに利用可能であり、鋲の活用やその製造及び基板となる素材の製造分野にまで波及効果が期待される。
【図面の簡単な説明】
【００１０】
【図１】本考案に係わる掲示板Ａの説明図で、（ａ）はその正面図、（ｂ）は（ａ）の右側面図。
【図２】掲示板Ａを間仕切り５に接合した状態の正面図。
【符号の説明】
【００１１】
１：基板
２：掲示紙葉
３：鋲
４：雄面状ファスナー
５：間仕切り
Ａ：掲示板
【図１】
0003128415.tif 000003
【図２】
0003128415.tif 000004
(57)【要約】      （修正有）【課題】コストを抑えて手軽に酒席の雰囲気を楽しくさせることのできるサービス具を提供すること。【解決手段】内部に収納空間を形成するボックス本体１aの前面に所要の開口部２を設け、後面に開閉蓋を設けて成るボックス１と、該ボックス１の収納空間に収められる音響装置と、該音響装置に収められた民謡などの楽曲に由来し、前記ボックス本体１aの上面に設けられる郷土人形５とから成る。【選択図】図１
0003128414.tif 000002
【実用新案登録請求の範囲】
【請求項１】
内部に収納空間を形成するボックス本体の前面に所要の開口部を設け、後面に開閉蓋を設けて成るボックスと、該ボックスの収納空間に収められる音響装置と、該音響装置に収められた民謡などの楽曲に由来し、前記ボックス本体の上面に設けられる郷土人形とから成り、酒宴の席で郷土料理の傍に置かれることを特徴としたサービス具。
【請求項２】
前記ボックス本体の前面にポケットを設けて成る請求項１記載のサービス具。
【考案の詳細な説明】
【技術分野】
【０００１】
本考案は、酒席のテーブル上に置かれて目、耳に刺激を与えて酒食を一層楽しくするサービス具に関する。
【背景技術】
【０００２】
大衆酒場などでは、歌手による民謡の実演や手踊りなどのサービスが提供されているが、酒席の各テーブル毎に、テープに収められた民謡などの楽曲とともに、該楽曲に由来する郷土人形を添えた民芸調の容器を提供し、酒食の雰囲気を楽しくさせるサービス具は提案されていない。
【考案の開示】
【考案が解決しようとする課題】
【０００３】
本考案は上記実情に鑑みて、コストを抑えて手軽に酒席の雰囲気を楽しくさせることのできるサービス具を提供する。
【課題を解決するための手段】
【０００４】
本考案の請求項１に記載したサービス具は、内部に収納空間を形成するボックス本体の前面に所要の開口部を設け、後面に開閉蓋を設けて成るボックスと、該ボックスの収納空間に収められる音響装置と、該音響装置に収められた民謡などの楽曲に由来し、前記ボックス本体の上面に設けられる郷土人形とから成る。
また、請求項２に記載したサービス具は、請求項１に記載したサービス具において、前記ボックス本体の前面にポケットを設けて成る。
【考案の効果】
【０００５】
以上のような本考案のサービス具によれば、酒席の郷土料理を民謡やそれに由来する話題性豊かな郷土人形などによって、嗅覚のほか目や耳からも美味しくし、かつ酒席の雰囲気を楽しくさせることができる。また、ボックス本体の前面に設けられるポケットは、郷土料理のしおりや民謡などの歌詞カードを収納できるから、より一層酒席を楽しくさせる小物として働きがある。
【考案を実施するための最良の形態】
【０００６】
ボックス本体は、長方体状のものから擬人的な頭部（なまはげ）を形成するものまで、その輪郭は種々選択され、材質として秋田杉を選択した場合は、その表面が焼杉に処理されたり、うずくり処理される。また、郷土人形は民謡などの楽曲に由来するものは勿論のこと、各地の代表的な話題性に富むものも選択される。このほか、ボックス本体の前面に設けられる開口部は、複数段で横長に貫通されるものから、多数の丸孔状のものもあり、ポケットを設けたものでは、該開口部はポケットによって開閉自在とするこも可能である。
【実施例】
【０００７】
本考案のサービス具Ａを実施例により説明すると、図１に示すように、ボックス１は秋田杉から成る横長直方体状のボックス本体１aの全外周面が焼杉１bに仕上げられ、前面の上部には二段に横長の開口部２が貫設され、上面の中央に貼り付けられた台座３には秋田蕗４を持った秋田おばこの郷土人形５が設けられ、後面には図３に示すように、ノブなどの適宜な引き手６と蝶番７などの開閉手段で開閉される開閉蓋８が設けられ、その閉止端は適宜な閉止手段（図外）で閉止され、内部の収納空間９には民謡などの楽曲を収めた音響装置１０が収納されて成る。
【０００８】
このようにして成るサービス具Ａは、酒席のテーブル（図外）上に置かれ、郷土料理で酒食する際に音響装置１０のスイッチが入れられ、秋田音頭や秋田おばこなどの民謡が開口部２から流される。したがって、酒席は郷土料理の味覚、嗅覚に加えて、目や耳からも盛り上がり、一層楽しいものとなる。このとき、仮想線で示すように、ボックス本体１aの前面にポケット１１を設けたものでは、その中に郷土料理のしおりや民謡などの楽曲の歌詞カード、郷土人形５の説明のパンフレットなどを収納できるからサービス向上に一役買うこととなる。
このほか、図２に示すサービスＢも提供され、このものは竿灯１２を操る演者１３から成る郷土人形５がボックス本体１aの上面に貼り付けた台座３に設けられる。
したがって、民芸調に仕上げられたボックス１と郷土人形５に郷土色を感じながら、スイッチを入れれば音響装置１０からは竿灯１２のおはやしが流され楽しい酒席となる。このものにもポケット１１は適宜に設けられることは勿論である。
なお、図示の郷土人形５はほんの一例を示すもので、各地の代表的な郷土人形がこれに代わることは勿論である。このほか、ボックス１において、アロマセラピー効果のある香りや電飾などの装飾装置が付加されるなどは本考案から容易に想起される事項である。
【産業上の利用可能性】
【０００９】
本考案は、酒場や料理店またはこれに類似する場所で酒席を楽しくさせることができるから、これを利用する飲食業関係の活性化は勿論のこと、ボックス製造業や人形製造業界、オーディオ装置製造業界の分野まで活性化するものである。
【図面の簡単な説明】
【００１０】
【図１】本考案のサービス具Ａの斜視図。
【図２】本考案のサービス具Ｂの斜視図。
【図３】ボックス本体の縦断面図。
【符号の説明】
【００１１】
１：ボックス
１a：ボックス本体
１b：焼杉
２：開口部
３：台座
４：秋田蕗
５：郷土人形
６：引き手６
７：蝶番
８：開閉蓋
９：収納空間
１０：音響装置
１１：ポケット
１２：竿灯
１３：演者
Ａ、Ｂ：サービス具
【図１】
0003128414.tif 000003
【図２】
0003128414.tif 000004
【図３】
0003128414.tif 000005
(57)【要約】【技術課題】箱位牌において、天蓋が不用意に外れたりしないと共に、熟練者でなくとも製作に携わることができる構造のものを得る。【解決手段】上部に位牌板７の出し入れ用の開口部３を形成した箱位牌の胴１の前記開口部３に天蓋５取り付け用のスライド係合溝４、４ａを形成する。一方、前記開口部３を覆う天蓋５側には、前記スライド係合溝４、４ａに係合する係合縁６、６ａを形成し、このスライド係合縁６、６ａを前記スライド係合溝４、４ａ内にスライドして係合させることにより、天蓋５を胴１の開口部３に取りつけて該開口部３を覆うようにする。【選択図】図１
0003128406.tif 000002
【実用新案登録請求の範囲】
【請求項１】
上部に位牌板出し入れ用の開口部を形成した箱位牌の胴の前記開口部に天蓋取り付け用のスライド係合溝を形成すると共に、前記開口部を覆う天蓋側に、前記スライド係合溝に係合する係合縁を形成し、このスライド係合縁を前記スライド係合溝内にスライドして係合させることにより、天蓋を胴の開口部に取りつけて該開口部を覆うことができるように構成して成る箱位牌。
【考案の詳細な説明】
【技術分野】
【０００１】
本考案は、複数枚の位牌板を一緒に収納しておくための箱位牌に関する。
【背景技術】
【０００２】
位牌は、故人ごとに一枚ずつ存在し、通常は仏壇内に納められているが、旧家のように故人の数が多くなると、仏壇内に位牌等を納めておくスペースが足りなくなる。そこで、位牌から台座を取り外し、板の部分だけを一括して収納しておくための箱位牌というものがある。
この箱位牌は、上部に位牌板出し入れ用の開口部を形成した胴内に位牌板を収納した後、開口部上に天蓋を被せておくものであるが、天蓋をそのまま載置したのではズレたり、外れたりするため、胴の上端部と天蓋の間に係合用の凹凸部（嵌合部）を形成している。
しかし、箱位牌の胴は、木製の塗り仕上げのため、塗りムラが起こり、嵌合部の精度が出しずらいため、熟練した加工技術が要求されるが、このような熟練した技術を持つ人材は不足しているのが現状である。
このため、天蓋の嵌合が緩かったり、きつかったりするという問題がある。
【考案の開示】
【考案が解決しようとする課題】
【０００３】
本考案は、斯かる点に鑑みて提供されるものであって、その目的は、箱位牌の胴と天蓋との嵌合部において、加工精度や塗りムラにそれ程気を遣う必要がなく、箱位牌の製作に当たって熟練した加工技術を持たない人でも適応できる構造の箱位牌を提供することである。
【課題を解決するための手段】
【０００４】
上記目的を達成するため、請求項１に記載の考案においては、箱位牌において、上部に位牌板出し入れ用の開口部を形成した箱位牌の胴の前記開口部に天蓋取り付け用のスライド係合溝を形成すると共に、前記開口部を覆う天蓋側に、前記スライド係合溝に係合する係合縁を形成し、このスライド係合縁を前記スライド係合溝内にスライドして係合させることにより、天蓋を胴の開口部に取りつけて該開口部を覆うことができるように構成して成ることを特徴とするものである。
【考案の効果】
【０００５】
上記のように、胴の開口部に天蓋をスライド係合方式により取り付けるようにすると、多少の塗りムラや加工に粗さがあっても、天蓋と胴はしっかり固定されるので、仏壇の清掃などに際して手が触れても天蓋がズレたり、外れたりする心配がない。
また、天蓋は、引き抜くだけで開口部を開放できるため、取り外しが簡単である。
更に、天蓋は、スライド係合溝と係合縁を形成するだけのため、箱位牌の製作において、従来のように嵌合精度を高めた加工を行ったり、塗りムラに気を遣う必要がないので、必ずしも熟練者が製作に携わらなくても良い。
【実施例】
【０００６】
図１〜３に基づいて、本考案に係る箱位牌の実施例を詳細に説明する。図１は、天蓋を胴から外した状態の説明図、図２は天蓋を胴の開口部に装着しようとしている状態の説明図、図３は天蓋を胴の開口部上に装着した状態の説明図である。これら各図において、１は内部に位牌板７を収める収納部２を形成した箱位牌の胴、３は収納部２内に位牌板７を出し入れするための開口部であって、この開口部３の前後壁には、左右方向に向けて抜けるように平行にスライド係合溝４、４ａが形成されている。
なお、本実施例においては、スライド溝４、４ａの一方は往き止り４ｂとしてあり、天蓋５の位置決めを図っているが、これは無くても良い。
【０００７】
５は前記開口部３を覆うための天蓋であって、この天蓋５の前後の下縁には、前記スライド係合溝４、４ａに係合するスライド係合縁６、６ａが形成されていて、図１に示すように、天蓋５を前記開口部３の側方に合わせ、スライド係合溝４、４ａとスライド係合縁６、６ａを合わせ（図２）、天蓋５を押し込むと、天蓋５は図３に示すように胴１上に被り、開口部３を覆うことができる。
天蓋５を取り外す場合には、天蓋５の一方を往き止り４ｂ側から押し出すと、他方にずれるので、そのまま押す、又は他方を摘んで引き抜くことにより、ほぼワンタッチで開口部３を開放し、ここから位牌板７を出し入れすることができる。
【０００８】
このように、胴１の開口部３に天蓋５をスライド方式で取り付けるようにしたことにより、胴１に天蓋５はしっかりと固定されて、取り扱い時に天蓋５が外れたりしない。
また、スライド係合溝４、４ａとスライド係合縁６、６ａの加工、あるいは塗りムラがあっても、天蓋５はしっかりと固定されるので、それぞれについて、熟練者でなくても製作に携わることができる。
なお、スライド係合溝４、４ａとスライド係合縁６、６ａの向き方向は、実施例のように左右方向ではなく、前後方向としても良い。
【図面の簡単な説明】
【０００９】
【図１】胴から天蓋を外した状態の説明図
【図２】胴の開口部に天蓋を装着する状態の説明図
【図３】天蓋を胴の開口部に装着した状態の説明図
【符号の説明】
【００１０】
１  胴
２  収納部
３  開口部
４、４ａ  スライド係合溝
５  天蓋
６、６ａ  スライド係合縁
７  位牌板
【図１】
0003128406.tif 000003
【図２】
0003128406.tif 000004
【図３】
0003128406.tif 000005
(57)【要約】      （修正有）【課題】組み立てる角度に拘わらず、見栄えよく、簡単に組み立て、分解し易く、繰り返し使用する事が出来る自在クリップである。【解決手段】Ｕ字形で１握りの長さの部材クリップ１と２は、同じ形状で、同径又は異径の組み合わせで背合わせにし、接続部３を円形に且つ両面を山型加工し、スプリング付ボルト又はカシメボルトで接続する。接続部はスプリングの力で圧着している為ボルトを軸に回転することが出来る。依って自在の角度、主に３０，４５，６０度を主に、他の角度も山と谷の噛み合わせ部で停止する。当クリップは、パイプを押し込む事で、銜え、挟むためにクリップの両端の外側に補強スプリングを内側に凸部６を両端計４ヶ所加工する事でグリップを増す事が出来る。分解時は、くの字型の平金物を差し込み、こじあげ、パイプをクリップから外す事が出来る。【選択図】図１
0003128450.tif 000002
【実用新案登録請求の範囲】
【請求項１】
本考案は、家庭菜園、圃円、庭園等に於いて、市販の人工竹及びパイプの類を組立る為に使用する、自在クリップである。
【考案の詳細な説明】
【技術分野】
【０００１】  本考案は、市販の、人工竹、イボ竹、パイプ等、の材料を組み立てる、角度に制約の無い自在型のクリップである。
【背景技術】
【０００２】  家庭菜園、圃円、庭園等に使用される人工竹、パイプ等を結束するのに使用する、縄、ビニール紐、針金に代わり、固定するための道具である。
【考案の開示】
【考案が解決しようとす課題】
【０００３】人工竹、パイプ等の結束に、従来は、縦、横、斜めの材料の交点を、紐、縄、針金等で結束していたが、時間を要し、見栄えも悪く、分解時は切断を要していた。
【課題を解決するための手段】
【０００４】  本考案は、Ｕの字の形で一握りの長さの部品２本を、中心部で背合わせにボルトで接続するが、固定はしないので接続ボルトを軸に２本の部材は回転する。
【考案の効果】
【０００５】  従来は、人工竹の組み立で、縦、横、斜めの交点を紐、縄、針金等で、結束していたが、当考案品は、交点になるヶ所に、背合わせのクリプ両側に、材料を、Ｕ字の中に押し込むことで固定する事となる。
【考案を実施するための最良の形態】
【０００６】  Ｕ字形で１握りの長さの部材クリップ  １  と  ２  は、同じ形状で、同径又は異径の組み合わせで背合わせに  ４  を軸にし、接続部  ３  を円形に且つ、両面を山型加工し、４  のスプリング付ボルト又はカシメボルトで接続する。接続部はスプリングの力で圧着している為  ４  のボルトを軸に回転することが出来る。依って自在の角度、主に、３０，４５，６０、度を主に、他の角度も山と谷の噛み合わせ部で停止する。当クリップは、パイプを押し込む事で、銜え、挟むためにクリップの両端の外側に  ５補強スプリングを、内側に  ６  凸部を両端計４ヶ所加工する事でグリップを増す事が出来る。分解時は、くの字型の平金物を差し込み、こじあげ、パイプをクリップから外す事が出来る切込みを示す。自在クリップ用途別の形状を、図  １〜５に示す。
【実施例】
【０００７】  組み立てる人工竹等の直径は多種類の為、当クリップの組み合わせも、同径、又は異径の組み合わせにより、当考案の、３種類、交点、端点、頂点用の組み合わせで多用な形状に人工竹等を組み立てる事ができる。
【図面の簡単な説明】
【０００８】
【図１】  直角時使用品    正面、及び中央部断平面図
【図２】  同上            側面  及び中央部断面図
【図３】  平行時          中央部断面
【図４】  端部使用品      直角平面図
【図５】  頂部使用品      平、断面図、及び平行時
【図６】  ボルト接合断面図  スプリング、ボルト、ナット又はカシメボルト
【図−１】
0003128450.tif 000003
【図−２】
0003128450.tif 000004
【図−３】
0003128450.tif 000005
【図−４】
0003128450.tif 000006
【図−５】
0003128450.tif 000007
【図−６】
0003128450.tif 000008
【手続補正書】
【提出日】平成18年1月26日(2006.1.26)
【手続補正１】
【補正対象書類名】実用新案登録請求の範囲
【補正対象項目名】全文
【補正方法】変更
【補正の内容】
【実用新案登録請求の範囲】
【請求項１】
本考案は、家庭菜園、圃園、庭園等に於いて使用されてる、市販の人口竹、パイプ等を結束する事無く、部材を押し込むことで、自在な角度に組み立てる、構造を有する自在クリップである。
【手続補正書】
【提出日】平成18年5月15日(2006.5.15)
【手続補正１】
【補正対象書類名】実用新案登録請求の範囲
【補正対象項目名】全文
【補正方法】変更
【補正の内容】
【実用新案登録請求の範囲】
【請求項１】
本考案は、市販されてる人工竹、及びパイプ等を、任意の角度に組立る材料で、構造は、Ｕ字形で、一握りの長さの部材２本を、長さの中心部で背合わせに１ヵ所で接合、接合するヶ所は両面を円形とし、中心部軸はバネを組み込んだボルト、ナットで、２本の部材を接合、接合する２本の中心部材面は、中心軸から両面を放射状に山形、又は凸凹に加工し、２本の接合面は、接合するボルト、ナット、に組み込んだバネの力で圧着、依って２本の部材は軸方向に移動する構造となり、片方を支点に、２本の部材を圧着の凸凹の噛み合わせから引き離し、左又は右に回転し、接合面が滑動する事で、山と谷の噛み合わせで停止、を繰り返す事で２本の部材の交差角度が変化し、且、Ｕ字形の内径は人工竹、及びパイプの外径に適合した、同径、又は、異径の組み合わせとし、Ｕ字形の両端外部にはＵ字形の、内側に働くバネを設け、人工竹及びパイプを挟み、銜え、固定し，組み立てる人工竹の交点、端点、頂点を結束する紐、縄、等に代わる機能を有する自在クリップである。
【手続補正書】
【提出日】平成18年9月1日(2006.9.1)
【手続補正１】
【補正対象書類名】実用新案登録請求の範囲
【補正対象項目名】全文
【補正方法】変更
【補正の内容】
【実用新案登録請求の範囲】
【請求項１】
本考案は、一般的な人工竹及びパイプの交点を任意の角度に組み立てるクリップで、構造は、Ｕ字形で、一握りの長さの部材２本を、長さの中心部で背合わせに１ヵ所で接合し、接合する箇所は両面を円形とし、且、円形の中心から放射状に両面を凸凹に加工し、接合する軸は、ボルト、ナットで、ボルト及びナットの両側に、コイルバネを挟む組み合わせで、２本の部材をコイルバネの力で圧着し、凸凹の噛み合わせで回転を阻止、組み合わせを変える時は、コイルバネに逆の外力で、凸凹の噛み合わせを外した状態で、回転、移動する事で組み立て角度が変わる、依って、人工竹及びパイプを組み立てる、紐、縄等に代わる機能を有する、自在クリップである。
【手続補正２】
【補正対象書類名】図面
【補正対象項目名】全図
【補正方法】変更
【補正の内容】
【図１】
0003128450.tif 000009
【図２】
0003128450.tif 000010
【図３】
0003128450.tif 000011
【図４】
0003128450.tif 000012
【図５】
0003128450.tif 000013
【図６】
0003128450.tif 000014
(57)【要約】〔目的〕本考案は線香類に着火剤を付着させ着火を容易にするものである。〔構成〕１  線香類      ６  着火剤【選択図】図２
0003128448.tif 000002
【実用新案登録請求の範囲】
【請求項１】
１  着火剤付き線香類
【考案の詳細な説明】
【考案の詳細な説明】
（イ）この考案は線香類に着火剤を付着させ着火を容易にするものである。
（ロ）従来のものは着火するのに苦労をしていた。例へば新聞紙をまるめて火種としたり、直接マッチ、ライター、炭火等で着火をしていた。
（ハ）本考案に依り（ロ）の不便さが消滅する。
（ニ）（イ）に依りゴミ等が無くなり環境にも良い。
【図面の簡単な説明】〔図１〕着火剤の無いものゝ着火
〔図２〕本考案に依るものゝ着火
【符号の説明】
１  は線香類
２  はまるめた新聞紙等
３  はマッチ
４  はライター
５  は炭火
６  は着火剤
【図１】
0003128448.tif 000003
【図２】
0003128448.tif 000004
【手続補正書】
【提出日】平成16年12月31日(2004.12.31)
【手続補正１】
【補正対象書類名】明細書
【補正の内容】
0003128448.tif 000005
0003128448.tif 000006
0003128448.tif 000007
【手続補正書】
【提出日】平成18年4月6日(2006.4.6)
【手続補正１】
【補正対象書類名】手続補正書
【補正対象項目名】手続補正１
【補正方法】削除
【補正の内容】
【手続補正２】
【補正対象書類名】手続補正書
【補正対象項目名】手続補正２
【補正方法】変更
【補正の内容】
【手続補正２】
【補正対象書類名】実用新案登録請求の範囲
【補正対象項目名】全文
【補正方法】変更
【補正の内容】
【実用新案登録請求の範囲】
【請求項１】
着火剤付棒状線香及うず巻状香取り線香
【手続補正３】
【補正対象書類名】手続補正書
【補正対象項目名】手続補正３
【補正方法】変更
【補正の内容】
【手続補正３】
【補正対象書類名】明細書
【補正対象項目名】全文
【補正方法】変更
【補正の内容】
【考案の詳細な説明】
【技術分野】
【０００１】（イ）この考案は線香類に着火剤を付着させ着火を容易にするものである。
（ロ）従来のものは着火するのに苦労をしていた。例へば新聞紙をまるめて火種としたり、直接マッチ、ライター、炭火等で着火をしていた。
（ハ）本考案に依り（ロ）の不便さが消滅する。
（ニ）（イ）に依りゴミ等が無くなり環境にも良い。
【図面の簡単な説明】
【０００２】
【図１】本考案に依る棒状線香の着火及うず巻状香取線香の着火方法
【図２】従来の着火剤の無い棒状線香及うず巻状香取線香
【符号の説明】
【０００３】１は着火剤付棒状線香
２は着火剤付うず巻状香取線香
３はマッチ棒
４はまるめた新聞紙
５はライター
６は炭火
７は着火剤
８は着火剤なしの棒状線香
９は着火剤なしのうず巻状蚊取り線香
【手続補正４】
【補正対象書類名】手続補正書
【補正対象項目名】手続補正４
【補正方法】追加
【補正の内容】
【手続補正４】
【補正対象書類名】図面
【補正対象項目名】全図
【補正方法】変更
【補正の内容】
【図１】
0003128448.tif 000008
【図２】
0003128448.tif 000009
(57)【要約】      （修正有）【課題】従来の目覚し時計は、単にアラーム設定用のＯＮ，ＯＦＦスイッチ２をＯＮにセットし、セット時刻にアラーム音が鳴る機能しかなかった。自分専用のイヤホンをセットしアラーム音が本人にしか聞こえないようにし、同室の就寝者にアラーム音が聞こえないようにし、ゆっくり休ませることが必要である。【解決手段】目覚まし時計本体の裏面１にイヤホンジャック３を設置しアラーム設定用のＯＮ，ＯＦＦスイッチ２をＯＮにして自分専用のイヤホンをイヤホンジャック３に挿入することによりアラーム音が外にもれず、自分専用のイヤホンのみにアラーム音が聞こえる目覚まし時計である。これによって同室で複数人が就寝していてもアラーム音が外にもれないため同室の就寝者を起こすことなく自分だけがアラーム音で起床可能となる。【選択図】図１
0003128489.tif 000002
【実用新案登録請求の範囲】
【請求項１】
本考案は従来の目覚まし時計にイヤホンジャックを設置し、そのイヤホンジャックに自分専用のイヤホンを挿入することにより、同室で就寝している他の人にアラームの音を聞かせずにゆっくりと就寝させることができる自分専用のアラーム機能を備えた目覚まし時計である。
【考案の詳細な説明】
【技術分野】
【０００１】  本考案は、家庭用機器としての目覚まし時計にイヤホンジャック機能を設置した目覚まし時計に関するものである。
【背景技術】
【０００２】  現在、一般的に使用されている目覚まし時計には、アラーム機能を使用するＯＮスイッチとアラーム機能を使用しないＯＦＦスイッチが設置されている状況にある。
【考案の開示】
【考案が解決しようとする課題】
【０００３】  就寝前に目覚まし時計をセットし、アラームＯＮにすると自動的にセット時刻にアラーム音が鳴るものが一般的であるが、これでは同室に複数人が就寝している場合、同室全員にアラーム音が聞こえるため、一人だけがアラーム音を聞いて起床するということが困難であった。
【課題を解決するための手段】
【０００４】  本考案は、従来の目覚まし時計にイヤホンジャックを設置し、自分専用のイヤホンを挿入することにより同室の就寝者に迷惑のかからない自分専用の目覚し時計の使用を可能にする。
【考案の効果】
【０００５】  上述の様に、本考案のイヤホンジャックを設置した目覚し時計は、自分専用のイヤホンを使用することにより同室の就寝者にアラーム音が聞こえないため、起こさずゆっくりと休ませる効果を持つ。
【考案を実施するための最良の形態】
【０００６】  目覚し時計にイヤホンで自分専用にアラーム音を聞ける様にイヤホンジャックを設置し使用する。
なお、使用するイヤホンについては就寝中に耳からはづれにくい形状のものとし、市販されているホック式スポンジの付いた耳にやさしいものが理想的である。
【実施例】
【０００７】  以下、添付図面に従って一実施例を説明する。１は目覚し時計のアラームセットの裏面図である。２はアラームのＯＮ，ＯＦＦスイッチである。３は増設したイヤホンジャックである。４は時計及びアラームセットボタンである。【０００８】  従来と同等の目覚し時計として使用する場合はイヤホンジャック３は使用せずアラームセットをＯＮ又はＯＦＦにして使用する。
なお、自分専用の目覚し時計として使用する場合は、アラームのＯＮ，ＯＦＦスイッチ２をＯＮにし時計及びアラームセットボタン４で起床時刻を設定しイヤホンジャック３に自分専用のイヤホンを挿入して使用する。
【図面の簡単な説明】
【０００９】
【図１】  本考案のイヤホンジャックを設置した目覚し時計の本体の裏面図である。
【符号の説明】
【００１０】  １  目覚し時計の本体の裏面
２  アラームセット用ＯＮ，ＯＦＦスイッチ
３  増設したイヤホンジャック
４  時計及びアラームセットボタン
【図１】
0003128489.tif 000003
【手続補正書】
【提出日】平成18年9月25日(2006.9.25)
【手続補正１】
【補正対象書類名】実用新案登録請求の範囲
【補正対象項目名】全文
【補正方法】変更
【補正の内容】
【実用新案登録請求の範囲】
【請求項１】
目覚まし時計にイヤホンジャックを設置し、そのイヤホンジャックに自分専用のイヤホンを挿入することにより、同室で就寝している他の人にアラームの音を聞かせずにゆっくりと就寝させることができる自分専用のアラーム機能を備えた目覚まし時計
【手続補正２】
【補正対象書類名】明細書
【補正対象項目名】全文
【補正方法】変更
【補正の内容】
【考案の詳細な説明】
【技術分野】
【０００１】  本考案は、家庭用機器としての目覚まし時計にイヤホンジャック機能を設置した目覚まし時計に関するものである。
【背景技術】
【０００２】  現在、一般的に使用されている目覚まし時計には、アラーム機能を使用するＯＮスイッチとアラーム機能を使用しないＯＦＦスイッチが設置されている。
なお、防災グッズとしてラジオ及び目覚まし並びにライトの機能を兼ね備えた商品も市販されてるが、イヤホンでラジオは聞くことが出きるがアラーム音をイヤホンで外に漏れずに聞いて自分だけ起床することが出来ない状況にある。
【考案の開示】
【考案が解決しようとする課題】
【０００３】  就寝前に目覚まし時計をセットし、アラームＯＮにすると自動的にセット時刻にアラーム音が鳴るものが一般的であるが、これでは同室に複数人が就寝している場合、同室全員にアラーム音が聞こえるため、一人だけがアラーム音を聞いて起床するということが困難であった。
【課題を解決するための手段】
【０００４】  本考案は、従来の目覚まし時計にイヤホンジャックを設置し、自分専用のイヤホンを挿入することにより同室の就寝者に迷惑のかからない自分専用の目覚し時計の使用を可能にする。
【考案の効果】
【０００５】  上述の様に、本考案のイヤホンジャックを設置した目覚し時計は、自分専用のイヤホンを使用することにより同室の就寝者にアラーム音が聞こえないため、起こさずゆっくりと休ませる効果を持ち使い方も簡単である。
【考案を実施するための最良の形態】
【０００６】  目覚し時計にイヤホンで自分専用にアラーム音を聞ける様にイヤホンジャックを設置し使用する。
なお、使用するイヤホンについては就寝中に耳からはづれにくい形状のものとし、市販されているホック式スポンジの付いた横になっても耳にやさしいものが理想的である。
【実施例】
【０００７】  以下、添付図面に従って一実施例を説明する。１は目覚し時計のアラームセットの裏面図である。２はアラームのＯＮ，ＯＦＦスイッチである。３は増設したイヤホンジャックである。４は時計及びアラームセットボタンである。【０００８】  単に目覚し時計として使用する場合はイヤホンジャック３は使用せずアラームセットをＯＮ又はＯＦＦにして使用する。
なお、自分専用の目覚し時計として使用する場合は、アラームのＯＮ，ＯＦＦスイッチ２をＯＮにし時計及びアラームセットボタン４で起床時刻を設定しイヤホンジャック３に自分専用のイヤホンを挿入して使用する。
【図面の簡単な説明】
【０００９】
【図１】  本考案のイヤホンジャックを設置した目覚し時計の本体の裏面図である。
【符号の説明】
【００１０】  １  目覚し時計の本体の裏面
２  アラームセット用ＯＮ，ＯＦＦスイッチ
３  増設したイヤホンジャック
４  時計及びアラームセットボタン
(57)【要約】【課題】  高齢者や子供など、身長の低い人達の利用しにくさの解消。【解決手段】  低身長の人達に合った高さの腰掛け１と、従来の高さのひじ付き腰掛け２を組み合わせたことにより、この課題を解決する。【選択図】図１
0003128486.tif 000002
【実用新案登録請求の範囲】
【請求項１】
ベンチ腰掛け部分を高低差をつけ、通常の高さの腰掛け部分にひじ掛けを設けて、それぞれを中央又は端に組み替えて使用できるベンチ
【考案の詳細な説明】
【技術分野】
【０００１】本考案は高齢者及び子供など、身長の低い人も使用するベンチに関する。
【背景技術】
【０００２】従来ベンチでは高低差がなく一定の高さであった（図３）。
【考案の開示】
【考案が解決しようとする課題】
【０００３】しかし、これでは、高齢者や子供など身長の低い人には腰掛けの位置が高すぎて使用しにくく不便である。
【課題を解決するための手段】
【０００４】そこで、従来より腰掛け高さの低い部分を設け、従来の高さの腰掛けにもひじ掛けを設けて、使用しやすくした。（図１）
【考案の効果】
【０００５】  よって、本考案のベンチにより、高齢者や子供など身長の低い人も腰掛けやすくなり、また、立ち上がるときに従来の高さの腰掛け部分や、ひじ掛部分を支えにできて、立ちあがりやすくなる。
【考案を実施するための最良の形態】
【０００６】  本案に係るベンチ（図１）は、図に示すように、高齢者や子供など身長の低い人のために従来の高さより低い腰掛け部１を備えている。そして、左右にはひじ掛けを設けた従来の高さの腰掛け２を備える。
【図面の簡単な説明】
【０００７】
【図１】本考案に係るベンチの正面図である。
【図２】本考案に係るベンチの腰掛け２の左右を組み替えた場合の正面図である。
【図３】従来のベンチの正面図である。
【符号の説明】
【０００８】  １    高さを低くした腰掛け
２    従来の高さにひじ掛けを設けた腰掛け
３    支持脚
【図１】
0003128486.tif 000003
【図２】
0003128486.tif 000004
【図３】
0003128486.tif 000005
【手続補正書】
【提出日】平成18年10月16日(2006.10.16)
【手続補正１】
【補正対象書類名】実用新案登録請求の範囲
【補正対象項目名】全文
【補正方法】変更
【補正の内容】
【実用新案登録請求の範囲】
【請求項１】
ベンチ腰掛けの中央部分の高さを低くして、通常の高さの腰掛け部分を中央部の腰掛けのひじ掛けに利用できるベンチ